(57)【要約】      （修正有）【課題】流し台の引き出し奥の空間に設置される、小型化された逆浸透膜浄水装置を提供する。【解決手段】高さ方向に一列に、互いに並列に配置された、複数の逆浸透膜浄水フィルタ１１８と、逆浸透膜浄水フィルタと隣接して配置され、原水供給源から原水を逆浸透膜浄水フィルタに圧送するポンプ１２１と、ポンプから逆浸透膜浄水フィルタに原水を供給する原水供給管４０１と、逆浸透膜浄水フィルタに夫々接続され、逆浸透膜浄水フィルタによる浄水処理によって得られた浄水を蛇口に導出する浄水導出管２０２と、浄水処理の余剰水を排出する余剰水排出管２０３と、を有する。【選択図】図２
0003172148.tif 000002
【実用新案登録請求の範囲】
【請求項１】
原水供給源から吸い上げられた原水に浄水処理を施し、浄水を供給するタンクレスの逆浸透膜浄水装置であって、
高さ方向に一列に、互いに並列に配置された、複数の逆浸透膜浄水フィルタと、
上記逆浸透膜フィルタと隣接して配置され、上記原水供給源から原水を上記逆浸透膜浄水フィルタに圧送するポンプと、
上記複数の逆浸透膜浄水フィルタと上記ポンプを高さ方向に並列に配置し、上記ポンプから上記逆浸透膜浄水フィルタに原水を供給する原水供給管と、
上記複数の逆浸透膜浄水フィルタに夫々接続され、上記逆浸透膜浄水フィルタによる浄水処理によって得られた浄水を蛇口に導出する浄水導出管と、
上記複数の逆浸透膜浄水フィルタに夫々接続され、上記逆浸透膜浄水フィルタによる浄水処理の余剰水を排出する余剰水排出管と、を有する、
ことを特徴とする逆浸透膜浄水装置。
【請求項２】
上記原水導入管には、上記ポンプによって上記原水供給源から吸い上げられた原水に浄水処理を施す前処理フィルタが、別に取り付けられている、
ことを特徴とする請求項１に記載の逆浸透膜浄水装置。
【請求項３】
上記薄型の逆透膜浄水装置は、引き出しを収納する収納スペースが設けられた引き出し式の流し台であって、引き出しの奥壁と、収納スペースの奥壁の間に形成される隙間に設置される、
ことを特徴とする請求項１または２に記載の逆浸透膜浄水装置。
【請求項４】
上記原水導入管の原水の導入口、上記浄水導出管の浄水の導出口、及び上記余剰水排出管の余剰水の排出口が、上記引き出しが出し入れされる方向と直交する面に設けられている、
ことを特徴とする請求項３に記載の逆浸透膜浄水装置。
【請求項５】
上記複数の逆浸透膜フィルタには夫々、第一の逆浸透膜フィルタによる浄水処理が施された原水に再度、逆浸透膜フィルタによる浄水処理を施すための第二の逆浸透膜フィルタが直列に接続され、
上記直列に接続された、第一の逆浸透膜フィルタと上記第二の逆浸透膜フィルタが、並列に接続されている、
ことを特徴とする請求項１乃至４いずれかの項に記載の逆浸透膜浄水装置。
【考案の詳細な説明】
【技術分野】
【０００１】
本考案は、水道水などの原水を浄化するための逆浸透膜現象を利用した浄水装置に係り、詳しくは、引き出しを収納する収納スペースが設けられた引き出し式の流し台であって、引き出しの奥壁と、収納スペースの奥壁の間に形成される隙間に設置される、小型化された逆浸透膜浄水装置に関する。
【背景技術】
【０００２】
近年、近代化されたシステムキッチンの発達に伴い、流し台に内蔵された（ビルトインされた）逆浸透膜浄水装置が普及してきている。
しかし、小型化された逆浸透膜浄水装置でも、流し台にかなりの場所を占領し、結果として、流し台自体のスペースが狭くなり、使い勝手が悪いという問題を有している。
【０００３】
そこで、小型化された逆浸透膜浄水フィルタを用いた逆浸透膜浄水装置の例として、下記実用新案登録文献１が知られている。
【０００４】
実用新案登録文献１で記載されている逆浸透膜浄水装置は、原水を逆浸透膜浄水フィルタに導入する前に、原水の前処理が行われる。前処理フィルタとしては、カーボン製のフィルタおよびセディメントフィルタが用いられる。
その後、前処理が行われた原水は、逆浸透膜フィルタに導入され、浄水が精製される。
【先行技術文献】
【特許文献】
【０００５】
【特許文献１】実用新案登録第３１５２９９２号
【０００６】
しかしながら、この実用新案登録文献１で記載されている逆浸透膜浄水装置は、給排水口を装置の背面に有するため、どうしても厚みのある本体となってしまう。また、複数有する逆浸透膜浄水フィルタ同士が全て直列に接続されており、本考案のように、引き出し式流し台の裏に収納することはできない。
【考案の概要】
【考案が解決しようとする課題】
【０００７】
そこで、本考案は、小型化された逆浸透膜浄水装置を提供することを目的としており、特に、引き出しを収納する収納スペースが設けられた引き出し式の流し台であって、引き出しの奥壁と、収納スペースの奥壁の間に形成される隙間に設置される、小型化された逆浸透膜浄水装置を提供することを目的としている。
【０００８】
また、本考案は、タンクを有さないため、浄水を逆浸透膜浄水装置内部に蓄えてはいない。しかし、使用者が蛇口を捻ると浄水が水道から供給されることを目的とする。
【課題を解決するための手段】
【０００９】
上記目的を達成するため、本考案の一の観点に係る逆浸透膜浄水装置は、原水供給源から吸い上げられた原水に浄水処理を施し、浄水を供給するタンクレスの逆浸透膜浄水装置であって、高さ方向に一列に、互いに並列に配置された、複数の逆浸透膜浄水フィルタと、上記逆浸透膜フィルタと隣接して配置され、上記原水供給源から原水を上記逆浸透膜浄水フィルタに圧送するポンプと、上記複数の逆浸透膜浄水フィルタと上記ポンプを高さ方向に並列に配置し、上記ポンプから上記逆浸透膜浄水フィルタに原水を供給する原水供給管と、上記複数の逆浸透膜浄水フィルタに夫々接続され、上記逆浸透膜浄水フィルタによる浄水処理によって得られた浄水を蛇口に導出する浄水導出管と、上記複数の逆浸透膜浄水フィルタに夫々接続され、上記逆浸透膜浄水フィルタによる浄水処理の余剰水を排出する余剰水排出管と、を有することを特徴とする。
なお、上記高さ方向に一列に、互いに並列に配置された、複数の逆浸透膜浄水フィルタは、同等の能力を有する一つの逆浸透膜浄水フィルタによって代替することができる。
【００１０】
また、本考案の別の観点に係る逆浸透膜浄水装置は、上記原水導入管には、上記ポンプによって上記原水供給源から吸い上げられた原水に浄水処理を施す前処理フィルタが、別に取り付けられている、ことを特徴とする。
なお、水道水圧が高い場合は、上記ポンプを設けなくても良い。
【００１１】
また、本考案の別の観点に係る逆浸透膜浄水装置は、上記薄型の逆透膜浄水装置は、引き出しを収納する収納スペースが設けられた引き出し式の流し台であって、引き出しの奥壁と、収納スペースの奥壁の間に形成される隙間に設置される、ことを特徴とする。
【００１２】
また、本考案の別の観点に係る逆浸透膜浄水装置は、上記原水導入管の原水の導入口、上記浄水導出管の浄水の導出口、及び上記余剰水排出管の余剰水の排出口が、上記引き出しが出し入れされる方向と直交する面に設けられている、ことを特徴とする。
【００１３】
また、本考案の別の観点に係る逆浸透膜浄水装置は、上記複数の逆浸透膜フィルタには夫々、第一の逆浸透膜フィルタによる浄水処理が施された原水に再度、逆浸透膜フィルタによる浄水処理を施すための第二の逆浸透膜フィルタが直列に接続され、上記直列に接続された、第一の逆浸透膜フィルタと上記第二の逆浸透膜フィルタが、並列に接続されている、ことを特徴とすることを特徴とする。
【考案の効果】
【００１４】
流し台シンク下に引き出し収納を有する流し台であれば、本考案における逆浸透膜浄水装置を設置することができる。また、従来の逆浸透膜浄水装置に比べ、引き出し式流し台の裏のスペースを有効活用できるため、逆浸透膜浄水装置における場所占領割合を減らすことができる。
さらに、本考案に係る逆浸透膜浄水装置は、タンクを有さなくても十分な給水ができる。
【図面の簡単な説明】
【００１５】
【図１】本考案に係る実施の形態における逆浸透膜浄水装置の外観構成を示す側面図。
【図２】本考案に係る実施の形態における逆浸透膜浄水装置の外観構成を示す正面図。
【図３】本考案に係る実施の形態における逆浸透膜浄水部の内部構造を示す図。
【図４】本考案に係る実施の形態における逆浸透膜浄水装置の浄水回路を示す図。
【考案を実施するための形態】
【００１６】
以下、本考案に係る実施の形態における逆浸透膜浄水装置の構造について、図を参照しながら説明する。
【００１７】
なお、以下に説明する実施形態において、個数、量などに言及する場合、特に記載がある場合を除き、本考案の範囲は必ずしもその個数、量などに限定されない。
【００１８】
まず、図１および２を参照し、本実施形態に係る逆浸透膜浄水装置１の概略を説明する。
本実施形態に係る逆浸透膜浄水装置１は、原水（水道水）中から大きめの不純物を除去する前処理部１０２と、前処理部１０２による処理が施された原水を逆浸透膜によって濾過する逆浸透膜浄水部１０１とから構成される。
この逆浸透膜浄水装置１による浄水処理が施された浄水は、浄水専用蛇口１０５を介して提供される。
【００１９】
この逆浸透膜浄水装置１は流し台に設置される。
流し台は、引き出し１３１，１３２，１３３、水道管１０４、排水管１０６、浄水専用蛇口１０５、水道水用蛇口１０７を備えている。
引き出し１３１，１３２，１３３は、箱型の収納容器を構成し、前後一方向に出し入れすることができる。
水道管１０４は、原水の供給源に接続しており、この水道管を介して、逆浸透膜浄水装置１に原水が供給される。また、この水道管１０４を介して、水道水用蛇口１０７にも原水が提供される。
排水管１０６は、引き出し１３１，１３２，１３３の裏のスペースＳに位置し、余剰水排出管２０３を介して逆浸透膜浄水装置１と連結されている。この排水管１０６を介して、シンクに流された水や、逆浸透膜浄水装置からは排出される余剰水が外部に排出される。
浄水専用蛇口１０５は、浄水導出管２０２を介し、逆浸透膜浄水装置１と連結されており、この浄水専用蛇口１０５から、逆浸透膜浄水装置１による浄水処理が施された浄水が提供される。
水道水用蛇口１０７は、水道管１０４に接続し、水道水を提供する蛇口である。
引き出しの奥には、排水管を設置するためのスペースＳが形成されている。
【００２０】
逆浸透膜浄水装置１は、引き出し１３１，１３２，１３３の裏のスペースＳに収納されており、排水管１０６を挟んで、一方側に逆浸透膜浄水部１０１、もう一方側に前処理部１０２が位置し、横一列に設置されている。
逆浸透膜浄水装置１は、引き出し１３１，１３２，１３３の裏のスペースＳに収納されるが、より具体的には、引き出しの奥壁と、収納スペースの奥壁の間に形成される隙間に設置される。
本実施の形態における逆浸透膜浄水装置１の、引き出し出し入れ方向の厚さは、引き出し１３１，１３２，１３３の裏のスペースＳよりも狭いものであればよく、特に限定されないが、好ましくは、厚さ１４ｃｍ以下である。
厚さ１４ｃｍ以下にすることにより、市販されている大半の引き出し式流し台の奥に設置可能となる。
【００２１】
なお、本実施の形態では、浄水専用の蛇口として、浄水専用蛇口１０５を例示するが、通常の水道水用蛇口１０７に連結され、内部の弁にて両者を分け、蛇口自体は、浄水と水道水（原水）で共用する構成としてもよい。
【００２２】
逆浸透膜浄水部１０１は、逆浸透膜フィルタ１１４、１１５、１１６、１１７、およびポンプ１１８を有する。本実施形態では、逆浸透膜フィルタは４個を例に図示されているが、本実用新案の効果を損なわない限り、複数個設置され、個数は特に限定しない。
逆浸透膜フィルタ１１４、１１５、１１６、１１７は、高さ方向に平行に配置される。この配置により、逆浸透膜浄水部１０１は、収納スペースの奥行に対応する薄型化が実現される。
逆浸透膜フィルタ１１４、１１５、１１６、１１７は、ポンプ１１８により圧送された原水中のトリハロメタンやダイオキシンなどの不純物を除去する逆浸透膜を備えたフィルタであり、微細な膜孔（膜孔径約０．０００１〜０．００１μｍ）を有し、逆浸透膜を透過して精製された透過水と、上記不純物が残存した濃縮水とに分離処理する。
逆浸透膜の素材としては、酢酸セルロース系、ポリアミド系、架橋ポリアミン系、架橋ポリエーテル系、スルホン化ポリスルホン等の素材を用いることができる。また、膜のエレメント構造としては、スパイラル型、セディメント型、チューブラー型などとすることができる。
【００２３】
逆浸透膜フィルタ１１４、１１５、１１６、１１７は、第一の逆浸透膜フィルタ（逆浸透膜フィルタ１１４、１１６）による浄水処理が施された原水に再度、第二の逆浸透膜フィルタ（逆浸透膜フィルタ１１５、１１７）が直列に接続される。
より具体的には、逆浸透膜フィルタ１１４と逆浸透膜フィルタ１１５は直列に配置されている。逆浸透膜フィルタ１１６と逆浸透膜フィルタ１１７も直列に配置されている。
また、この直列に接続された、第一の逆浸透膜フィルタと第二の逆浸透膜フィルタは、並列に接続される。
【００２４】
逆浸透膜フィルタ１１４、１１５は、取り付け金具１４１、１４２によって結合されている。
逆浸透膜フィルタ１１６、１１７は、取り付け金具１４３、１４４によって結合されている。
なお、逆浸透膜フィルタ１１４、１１５、１１６、１１７は、市販のフィルタを適宜用いることができ、特に限定されない。
【００２５】
ポンプ１１８は、水道管１０４から供給される原水を循環させる機能を有し、前処理部１０２で処理された前処理後水を、逆浸透膜フィルタ１１４、１１５、１１６、１１７へ圧送させる。
ポンプ１１８は、前処理済原水導入管４０２を介して、逆浸透膜フィルタ１１４、１１５、１１６、１１７に接続している。
ポンプ１１８は、高さ方向に平行に配置された逆浸透膜フィルタ１１４、１１５、１１６、１１７の下方に配置される。
これにより、逆浸透膜フィルタ１１４、１１５、１１６、１１７とポンプ１１８は、全て一列に配置される。
【００２６】
次に、図２を参照し、前処理部１０２から逆浸透膜浄水部１０１への接続について説明する。
前処理済水管２０１は、前処理部１０２と逆浸透膜浄水部１０１とを連結させる。この前処理済水管２０１は、原水口１１１を介して、前処理済原水導入管４０２に接続している。
前処理済原水導入管４０２には、ポンプ１８が設けられており、逆浸透膜フィルタ１１４、１１５、１１６、１１７と接続される。
逆浸透膜浄水導入管４０６は、逆浸透膜フィルタ１１４、１１５、１１６、１１７に接続されており、浄水口１１２を介し、浄水導出管２０２へと接続する。
逆浸透膜排水導入管４０７は、排水口１１３を介し、排水管１０６へと接続する。
【００２７】
図２および３に示されている通り、逆浸透膜浄水部１０１の上面部には、原水口１１１、浄水口１１２、および排水口１１３が設けられている。
なお、原水口１１１、浄水口１１２、および排水口１１３を総称して、給排水口と称するのもとする。
原水口１１１は、前処理部１０２にて前処理が施された前処理済みの原水を、逆浸透膜浄水部１０１に導入する口であって、前処理済水管２０１が接続される。
浄水口１１２は、逆浸透膜浄水部１０１によって浄水された浄水を、浄水専用蛇口１０５へ導出する口であって、浄水導出管２０２が接続される。
排水口１１３は、逆浸透膜浄水部１０１の浄水時に生じた不純物を多く含む排水を、排水管１０６へと導出する口であって、余剰水排水管２０３が接続される。
なお、図２では、給排水口が逆浸透膜浄水部１０１の上面に設けられているが、上記引き出しが出し入れされる方向と直交する面に設けられていれば、特に限定されない。より具体的には、給排水口は、逆浸透膜浄水部１０１の幅狭の側面に設けられてもよい。
これにより、給排水口が、引き出しの出し入れの邪魔にならず、逆浸透膜浄水装置１の厚さが薄くなり、引き出し式流し台の裏に収納することが可能となる。
【００２８】
次に、図２を参照し、前処理部１０２について説明する。
前処理部１０２は、セディメントフィルタ１２１および活性炭フィルタ１２２を有する。
セディメントフィルタ１２１は、中空繊維状のフィルタであり、微細な孔が網の目のように無数に開いた構成を有している。孔の大きさは約0.1μmであり、それ以上の大きさの不純物、主に水道水中に含まれる微細な粒子や雑菌・赤サビなどを除去する役割を果たす。
活性炭フィルタ１２２は、活性炭の微粒子を詰めたフィルタであり、主に水道水中に含まれる残留塩素や有機物、トリハロメタンまた臭気物などを除去する役割を果たす。
なお、セディメントフィルタ１２１および活性炭フィルタ１２２は、市販のフィルタを適宜用いることができ、特に限定されない。
【００２９】
図１および２を参照し、水道管１０４から前処理部１０２への一連の流れについて説明する。
水道管１０４に連結された原水導入管４０１は、前処理部１０２に接続し、原水を供給する。
原水導入管４０１は、セディメントフィルタ１２１へ接続される。
セディメントフィルタ１２１は、活性炭フィルタ１２２と接続している。
活性炭フィルタ１２２は、前処理済水管２０１へ接続される。
前処理済水管２０１は、原水口１１１を介し、前処理済原水導入管４０２に接続される。
【００３０】
次に、図４を参照し、本実施の形態における逆浸透膜浄水装置１による浄水処理の流れについて説明する。
【００３１】
原水導入管４０１を介して、水道管１０４から前処理部１０２に原水が導入される。
前処理部１０２では、セディメントフィルタ１２１と活性炭フィルタ１２２によって、原水に前処理が施される。
前処理が施された原水は、前処理後水管２０１を介して、逆浸透膜浄水部１０１に導入される。
逆浸透膜浄水部１０１に導入された原水は、ポンプ１８によって圧送され、逆浸透膜浄水フィルタ１１４、１１５、１１６、１１７に導入される。
逆浸透膜浄水部１０１では、原水に逆浸透膜浄水処理が施される。
逆浸透膜浄水処理が施された浄水は、逆浸透膜浄水導入管４０６、浄水口１１２を介し、浄水導出管２０２へ運ばれる。その後、浄水導出管２０２を介して、浄水専用蛇口１０５へと通じる。
逆浸透膜浄水処理にて生じた余剰水は、逆浸透膜排水導入管４０７、排水口１１３を介して、余剰水排出管２０３へと運ばれる。その後、余剰水排出管２０３を介して、排水管１０６へ排水される。
なお、余剰水とは、浄水処理において発生する不純物を多く含む水である。
【００３２】
本実施の形態における逆浸透膜浄水装置１は、通常、従来の逆浸透膜浄水装置には設置されるタンクを有さない（タンクレスである）。タンクを有さないことで、逆浸透膜浄水装置１の更なる小型化が実現される。
【００３３】
また、タンクを有さなくとも、本実施の形態における逆浸透膜浄水装置１は、逆浸透膜フィルタ１１４、１１５、１１６、１１７を４つ有し、逆浸透膜フィルタ１１４、１１５並びに逆浸透膜フィルタ１１６、１１７を並列に接続することで、最終的な透過水量を増大させることができる。
また、逆浸透膜フィルタ１１４、１１５という二段階にて逆浸透膜フィルタを通すことで、より純度の高い浄水を得られる。逆浸透膜フィルタ１１６、１１７という二段階にて逆浸透膜フィルタを通すことで、より純度の高い浄水を得られる。
【符号の説明】
【００３４】
１  逆浸透膜浄水装置，１０１  逆浸透膜浄水部，１０２  前処理部，１０４  水道管，１０５  浄水専用蛇口，１０６  排水管，１０７  水道水用蛇口，１１１  原水口，１１２  浄水口，１１３  排水口，１１４、１１５、１１６、１１７  逆浸透膜フィルタ，１１８  ポンプ，１２１  セディメントフィルタ，１２２  活性炭フィルタ，１３１，１３２，１３３  引き出し，１４１、１４２、１４３、１４４  取り付け金具，２０１  前処理済水管，２０２  浄水導出管，２０３  余剰水排出管，４０１  原水導入管，４０２  前処理済原水導入管，４０３  逆浸透膜フィルタ導入管，４０４  第１逆浸透膜フィルタ連結管，４０５  第２逆浸透膜フィルタ連結管，４０６  逆浸透膜浄水導入管，４０７  逆浸透膜排水導入管
【図１】
0003172148.tif 000003
【図２】
0003172148.tif 000004
【図３】
0003172148.tif 000005
【図４】
0003172148.tif 000006
【手続補正書】
【提出日】平成23年8月25日(2011.8.25)
【手続補正１】
【補正対象書類名】実用新案登録請求の範囲
【補正対象項目名】全文
【補正方法】変更
【補正の内容】
【実用新案登録請求の範囲】
【請求項１】
原水供給源から吸い上げられた原水に浄水処理を施し、浄水を供給するタンクレスの逆浸透膜浄水装置であって、  高さ方向に一列に、互いに並列に配置された、複数の逆浸透膜浄水フィルタと、  上記逆浸透膜フィルタと隣接して配置され、上記原水供給源から原水を上記逆浸透膜浄水フィルタに圧送するポンプと、  上記複数の逆浸透膜浄水フィルタと上記ポンプを高さ方向に並列に配置し、上記ポンプから上記逆浸透膜浄水フィルタに原水を供給する原水供給管と、  上記複数の逆浸透膜浄水フィルタに夫々接続され、上記逆浸透膜浄水フィルタによる浄水処理によって得られた浄水を蛇口に導出する浄水導出管と、  上記複数の逆浸透膜浄水フィルタに夫々接続され、上記逆浸透膜浄水フィルタによる浄水処理の余剰水を排出する余剰水排出管と、を有する、  ことを特徴とする逆浸透膜浄水装置。
【請求項２】
上記原水供給管には、上記ポンプによって上記原水供給源から吸い上げられた原水に浄水処理を施す前処理フィルタが、別に取り付けられている、  ことを特徴とする請求項１に記載の逆浸透膜浄水装置。
【請求項３】
上記薄型の逆透膜浄水装置は、引き出しを収納する収納スペースが設けられた引き出し式の流し台であって、引き出しの奥壁と、収納スペースの奥壁の間に形成される隙間に設置される、  ことを特徴とする請求項１または２に記載の逆浸透膜浄水装置。
【請求項４】
上記原水供給管の原水の導入口、上記浄水導出管の浄水の導出口、及び上記余剰水排出管の余剰水の排出口が、上記引き出しが出し入れされる方向と直交する面に設けられている、  ことを特徴とする請求項３に記載の逆浸透膜浄水装置。
【請求項５】
上記複数の逆浸透膜フィルタには夫々、第一の逆浸透膜フィルタによる浄水処理が施された原水に再度、逆浸透膜フィルタによる浄水処理を施すための第二の逆浸透膜フィルタが直列に接続され、  上記直列に接続された、第一の逆浸透膜フィルタと上記第二の逆浸透膜フィルタが、並列に接続されている、  ことを特徴とする請求項１乃至４いずれかの項に記載の逆浸透膜浄水装置。